(57)【要約】【課題】異なる種類の遊技機における同種の制御装置の誤着対策を講じた遊技機の構成技術を提供する。【解決手段】盤面１０５上に設置された制御装置１５１，１５３，１５５を介して所定の制御を受ける遊技機１０１であって、制御装置１５１，１５３，１５５に所定の配色が施されるとともに、その配色は、異なる種類の遊技機における同種の制御装置の配色と異なるように構成されている。【選択図】        図３
2004180877.tif 000002
【特許請求の範囲】
【請求項１】
本体に設置された制御装置を介して所定の制御を受ける遊技機であって、
前記制御装置に所定の識別手段が施されるとともに、その識別手段は、異なる種類の遊技機における同種の制御装置の識別手段と異なる態様となるように構成されていることを特徴とする遊技機。
【発明の詳細な説明】
【０００１】
【発明の属する技術分野】
本発明は、盤面上に制御装置が設置された遊技機に関し、詳しくは異なる種類の遊技機における同種の制御装置の誤着に対する有効対策を施した遊技機に関する。
【０００２】
【従来の技術】
機構盤の裏面に各種の制御動作を遂行するための複数の制御装置が設置された遊技機の構成技術が特許文献１（特開２００１−２１２３２４号公報）に開示されている。当該特許文献１によれば、制御装置の取付け位置を、視覚を通じて用意に識別できるようにして作業性を向上する技術が開示されている。具体的には、制御装置側に施された配色と、当該制御装置を機構盤に取付けるためのベース部に施された配色とを関連付けることで、作業者に正しい制御装置の取り付けを視覚的にわかり易く示す技術が開示されている。
【０００３】
ところでパチンコ機を遊技機の一例とすれば、例えば図柄の表示制御基板は、殆どのパチンコ機に装着される。その表示内容は機種毎に異なるものの、実質的には、表示を制御するＣＰＵを中心として構成される表示制御基板は共用可能であって、単に表示内容等を記憶するＲＯＭを交換すればよいため、見た目で違いを判別するのは容易ではない。さらに「異なる種類のパチンコ機」の態様として、機種自体が異なるパチンコ機において同種の制御（この場合は図柄表示制御）を行なう場合のみならず、同種のパチンコ機であっても、例えば一般機に対してＣＲ機では、賞球払出管理のための制御装置の内容が異なるものの、ＲＯＭの内容を異ならせるだけで構成可能であるため、目視で識別することが容易ではない。すなわちパチンコ機の製造・管理工程において制御内容の異なる同種の制御装置が錯綜する可能性があり、このため、種類の異なるパチンコ機に用いられるべき同種の制御装置の誤着対策を十分に講じる要請がある。この点、上記従来の技術では、遊技機の機構盤に対する各種制御装置の正しい取付けが容易化されるものの、異なる種類の遊技機に用いられる制御装置を誤って取付けてしまう場合に対する対策としては必ずしも有効とはいえない。
【０００４】
【特許文献１】
特開２００１−２１２３２４号公報
【０００５】
【発明が解決しようとする課題】
本発明は、かかる点に鑑みてなされたものであり、異なる種類の遊技機における同種の制御装置の誤着対策を講じた遊技機の構成技術を提供することを目的とする。
【０００６】
【課題を解決するための手段】
上記課題を達成するため、各請求項記載の発明が構成される。
請求項１に記載の発明によれば、盤面上に設置された制御装置を介して所定の制御を受ける遊技機が構成される。遊技機は、例えばパチンコ、スロットルマシン等の遊技装置を広く包含するものとする。そして当該制御装置には所定の識別手段が施され、その態様は、異なる種類の遊技機における同種の制御装置に配された識別手段の態様と異なるように構成される。これにより、作業者が異なる機種間で同種の制御装置を取り違えて装着してしまう可能性を極力抑制するとともに、仮に誤着が生じても作業者が当該誤着に長時間気付かないという不都合、および誤着に気付いても、どの制御装置が誤着に係るものか発見するのに時間を要するといった不都合を極力抑制することが可能となる。
【０００７】
本発明における「制御装置」は、好ましくは各種制御用回路機材が配列された制御基板によって構成されるが、他にも制御ボックス、あるいは制御基板の収容ケーシング等によって構成してもよい。当該制御装置が設置される「本体」としては、典型的には遊技盤がこれに該当する。また制御装置による「所定の制御」としては、図柄表示制御や賞球制御等の個別具体的な制御系のみならず、メイン制御部のように、これらの制御系の動作を管理する統括的な制御系も広く包含されるものとする。「異なる種類の遊技機」とは、機種自体が異なる態様のみならず、一般機とＣＲ機のように、機種自体は同種であっても遊技条件に関する構成が異なる態様も広く包含するものとする。また「同種の制御装置」とは、典型的には制御機能が同種のものを意味するものとする。
【０００８】
さらに本発明では、上記課題に鑑み、以下のごとき各種の態様を構成することが可能である。
（態様１）
「請求項１に記載の遊技機であって、
前記識別手段は、前記制御装置に施される所定の配色によって規定され、当該配色は、異なる種類の遊技機における同種の制御装置の配色と異なるように構成されていることを特徴とする遊技機。」
【０００９】
この態様によれば、配色という作業者の目に鮮明に訴求する識別手段を利用することで、異なる機種間における同種の制御装置に関する誤着の未然防止、誤着が発生した場合の迅速察知、および誤着が生じた制御装置の迅速特定を一層容易に確保することが可能となる。
【００１０】
なお本態様において、制御装置の「配色」は、典型的には制御基板を着色して行なうのが好ましいが、例えば着色シールを貼付する等の手法も広く包含する。また作業者の視覚への訴求効果が認められる限りに置いては、単一色を施すのみならず、複数の色、あるいは模様を施す態様も広く包含するものとする。
【００１１】
また制御装置の視覚による識別性を向上することにより、異なる機種間での制御装置の誤着を防止するという本発明の一つの趣旨に鑑み、制御装置の配色は、制御装置の全部（例えば制御基板全体）に施されてもよく、あるいは制御装置の一部（例えば制御基板の一部分）にのみ施されていても良い。なお作業者の視認性の観点より、配色は少なくとも盤面に設置された制御装置の表面側に施されているのが好ましい。
【００１２】
（態様２）
「請求項１に記載遊技機であって、
前記識別手段は、前記制御装置に施される所定の模様によって規定され、当該模様は、異なる種類の遊技機における同種の制御装置の模様と異なるように構成されていることを特徴とする遊技機。」
【００１３】
この態様によれば、模様という作業者の目に鮮明に訴求する識別手段を利用することで、異なる機種間における同種の制御装置に関する誤着の未然防止、誤着が発生した場合の迅速察知および誤着が生じた制御装置の迅速特定を一層容易に確保することが可能となる。
【００１４】
本態様における「模様」は、制御装置に記される記号や符号についても広く包含するものとし、また上記配色と組み合わせて施してもよい。さらに各制御装置には模様の各構成要素（模様の各部分）のみを施しておき、各制御装置を集合させた場合に、全体として意味のある模様が形成されるような形態も含むものとする。また、例えば制御装置の放熱孔等のように、制御装置に設定された既存の構成要素の配列を工夫することで模様を構成する形態も好適に含まれるものとする。
【００１５】
（態様３）
「請求項１、態様１または２に記載の遊技機であって、
前記本体上には制御機能に応じて複数の制御装置が設置されるとともに、各制御装置に施された識別手段は、異なる種類の遊技機における同種の制御機能を奏する制御装置の識別手段とそれぞれ異なる態様を有するように構成されていることを特徴とする遊技機。
【００１６】
この態様によれば、請求項１に記載の遊技機の盤面上には制御機能に応じて複数の制御装置が設置されるとともに、各制御装置に施された識別手段は、異なる種類の遊技機における同種の制御機能を奏する制御装置の識別手段と異なる態様を有するように構成される。従って盤面上に複数の制御装置が配置されている場合に、それぞれの制御装置について、異なる種類の遊技機のための制御装置を誤着する可能性を極力低減するとともに、仮に誤着が生じても当該誤着状態を容易に視認することが可能な構成が得られることとなる。なお本発明は、盤面上に設置された「全ての」制御装置を対象として構成してもよく、あるいは特に誤着の可能性が生じ易い制御装置を適宜選択して構成してもよい。
【００１７】
（態様４）
「態様３に記載の遊技機であって、
前記識別手段は各制御装置にそれぞれ施された異なる配色によって規定されるとともに、各制御装置の配色の集合によって所定の配色パターンが形成され、当該配色パターンは、異なる種類の遊技機における複数の制御装置に施された配色パターンと異なるように構成されていることを特徴とする遊技機。
【００１８】
この態様によれば、上記態様３に記載の遊技機における識別手段が「配色」によって規定されるとともに、盤面上に設置された各制御装置に施された各配色が集合して所定の配色パターンが形成される。そして当該配色パターンは、異なる種類の遊技機における複数の制御装置に施された配色パターンと異なるように構成される。各制御装置に異なる配色を施して形成される「配色パターン」としては、例えばメイン制御装置、サブ制御装置、表示制御装置についてそれぞれ「赤」「青」「黄」の配色パターンとした場合、他の異なる種類の遊技機におけるメイン制御装置、サブ制御装置、表示制御装置では「黄」「赤」「青」といったように異なる配色パターンとする。
【００１９】
このように構成すれば、仮に、他の遊技機における黄色に配色されたメイン制御装置を作業者が誤って取り付けた場合、本機側における配色パターンがメイン制御装置、サブ制御装置、表示制御装置の順で「黄」「青」「黄」となるので、一見して誤着が生じたことを確認することができる。
【００２０】
（態様５）
「態様３に記載の遊技機であって、
前記本体には複数の制御装置が配置されるとともに、各制御装置には、異なる種類の遊技機における制御装置に施された配色以外の単一の配色が施されていることを特徴とする遊技機。」
【００２１】
この態様によれば、上記態様３に記載の遊技機につき、遊技機本体には複数の制御装置が配置される。そして当該複数の制御装置には、異なる種類の遊技機における制御装置に施された配色以外の単一の配色が施される。例えば、他の種類の遊技機において青色ないし黄色に配色された制御装置が用いられている場合には、本機側の制御装置を全て赤色に配色する。これにより他の遊技機の同種の制御装置が誤着された場合、赤色の制御装置群の中に異なる色の制御装置が（誤って）組み込まれることになる。従って、誤着を未然に防止するのに強い効果を発揮するとともに、仮に誤着が生じたとしても、作業者は単に誤着が生じたことを迅速に視認するのみならず、どの制御装置が誤着されたのかを一目瞭然で識別することが可能となる。
【００２２】
（態様６）
「請求項１または態様１から５までのいずれかに記載の遊技機であって、
前記本体における前記制御装置の取り付け箇所、ないしその近傍には、取り付け対象たる制御装置に施された識別手段に対応した第２の識別手段が設けられていることを特徴とする遊技機。」
【００２３】
この態様によれば、請求項１または態様１から５までのいずれかに記載の遊技機の盤面上における制御装置の取り付け箇所ないしその近傍には、取付け対象たる制御装置に施された識別手段に対応した第２の識別手段が設けられている。「第２の識別手段」は配色を施すことで構成してもよく、また配色とともに、あるいは配色とは別に文字・符号・模様等で構成してもよい。また盤面上に直接施してもよく、あるいはマーカシール等を盤面上に貼付して構成してもよい。本態様によれば、単に異なる種類の遊技機における同種の制御装置の誤着防止を確実なものとするのみならず、さらに制御装置の正しい設置位置についても作業者に容易に視認させることが可能となる。
【００２４】
【発明の実施の形態】
（第１の実施の形態）
以下、本発明の第１実施の形態に係るパチンコ機１０１につき、図１から図５までを参照しつつ詳細に説明する。本実施の形態に係るパチンコ機１０１は、本発明における「遊技機」に対応する。パチンコ機１０１の背面図が図１に示される。パチンコ機１０１は、その背面部側から見た場合、本体側の枠体１０３と、当該枠体１０３に回動可能に取付けられる遊技盤１０５と、枠体１０３に固定状に取付けられた裏機構盤１０７とを主体として構成される。
【００２５】
裏機構盤１０７の上方領域には、賞球貯留タンク１１１および賞球誘導樋１１３が配設され、側部領域には賞球装置１３３が配設され、さらに下部領域には遊技球の発射制御装置１１５および賞球制御基板１３４が配設されている。また遊技盤１０５の中央領域には、メイン基板１５１，サブ基板１５３および表示制御基板１５５が配設されている。
【００２６】
また、便宜上図示を省略するものの、遊技盤１０５の対向面側、すなわち遊技盤１０５の表面領域側には、図柄表示装置、第１種始動口、大入賞口、誘導釘、風車、アタッカ装置、役物装置といった周知の要素が配設された遊技領域が構成されている。
【００２７】
本実施の形態に係るパチンコ機１０１の電装システムが図２に模式的に示される。図２に示すように、本実施の形態に係るパチンコ機１０１は、概略的に見て、ＡＣ電源に接続された電源装置１２１に中継部１２３を介して接続されたメイン制御部１２５を主体として構成される。メイン制御部１２５内には、特に図示しないもののＣＰＵ、メモリ、入力処理回路および出力処理回路が適宜設定されている。さらにメイン制御部１２５には、入賞球センサ１３５および上記始動口センサ１３７が接続され、各センサ１３５，１３７からの検知信号が適宜入力される。またメイン制御部１２５には、ソレノイド１３９、表示制御部１３１、音制御部１２９、賞球制御部１２７がそれぞれ接続されている。
【００２８】
ソレノイド１３９は、メイン制御部１２５内に設けられた出力処理回路（特に図示しない）からの駆動制御信号に基づいて適宜励磁・非励磁状態を切り替えることにより、特に図示しない遊技領域上の大入賞口の開閉駆動を行う。表示制御部１３１は、メイン制御部１２５内に設けられた通信制御回路（特に図示しない）からの制御信号に基づいて遊技領域上の図柄表示装置の駆動制御を行う。音制御部１２９は、同じくメイン制御部１２５内に設けられた通信制御回路からの制御信号に基づいて上記スピーカ１１７の音声出力を制御する。
【００２９】
賞球制御部１２７は、特に図示しないものの、内部にＣＰＵおよび入出力ポート等を備え、電源装置１２１から電源供給を受けて駆動されるとともに、入賞球センサ１３５や始動口センサ１３７からの検出信号を受けたメイン制御部１２５から適宜賞球制御信号を受けて、賞球装置１３３における賞球の払い出し制御を適宜行う。さらにメイン制御部１２５は、パチンコ機１０１を設置した遊技ホールに設けられたホールコンピュータ１４１に接続され、例えば大当たりの回数等といった遊技に関する営業情報を適宜出力する。
【００３０】
なお、上記各システム構成要素と、図１に示す遊技盤１０５上の基板との関係については、メイン制御部１２５は主としてメイン基板１５１に配され、音制御部１２９等の補助的制御機構は主としてサブ基板１５３に配され、表示制御部１３１は主として表示制御基板１５５に配される。
【００３１】
本実施の形態に係るパチンコ機１０１を「機種Ａ」と措定した場合、図３に示すように、当該機種Ａに係るパチンコ機１０１の遊技盤１０５上の各制御基板には所定の配色がなされている。具体的には、機種Ａのメイン基板１５１は赤色に配色され、サブ基板１５３は青色に配色され、さらに表示制御基板１５５は黄色に配色されている。換言するならば、機種Ａに係るパチンコ機１０１では、メイン基板１５１、サブ基板１５３、表示制御基板１５５の順に、「赤・青・黄」の配色パターンが施されている。
【００３２】
これに対し、図４に示すように、異なる種類のパチンコ機２０１を「機種Ｂ」と措定した場合、当該機種Ｂに係るパチンコ機２０１の遊技盤２０５上の各制御基板には、上記機種Ａに係るパチンコ機１０１（図３参照）とは異なる配色がそれぞれ施されている。なお機種Ｂは、機種Ａとは異なる遊技態様を有するパチンコ機であるが、図１に示す各制御基板の配置構成および図２に示すシステム構成としては、機種Ａと同種の機構を採用するものである。具体的には、機種Ｂのメイン基板２５１は黄色に配色され、サブ基板２５３は赤色に配色され、さらに表示制御基板２５５は青色に配色されている。換言するならば、機種Ｂに係るパチンコ機２０１では、メイン基板２５１、サブ基板２５３、表示制御基板２５５の順に、「黄・赤・青」の配色パターンが施されている。
【００３３】
図３に示す機種Ａのパチンコ機１０１につき、遊技盤１０５に各制御基板を取付ける作業中に、本来は図４に示す機種Ｂのパチンコ機２０１用のサブ基板２５３が、誤って機種Ａのパチンコ機１０１に装着されたと仮定する。すると図５に示すように、機種Ａのパチンコ機１０１の遊技盤１０５では、メイン基板１５１、サブ基板２５３（本来はサブ基板１５３が装着されるべきである）および表示制御基板１５５の配色パターンが、順に「赤・赤・黄」となる。従って、図３に示すように「赤・青・黄」（全て異なる色）という正しい配色パターンと異なることが視覚的に鮮明に提示されることになる。
【００３４】
本実施の形態のように異種間で共通の配色を用い、配色パターンをローテーションすることで、誤着の場合に同色の制御基板が配列されることになり、制御基板の誤着が生じたことを迅速かつ容易に察知可能である。しかも色の種類を無闇に増加させるものではないため、配色のために徒にコストアップを招くことも回避される。
【００３５】
この結果、作業者は、配色パターンの相違を手掛かりとして制御基板の誤着が発生したこと、およびサブ基板２５３（１５３）に誤着が発生したことを容易に察知し、取替え作業を直ちに行なうことが可能となる。しかも本来の正しい配色パターンを念頭に置いて作業を行なうことで、配色パターンを手掛かりに制御基板の誤着の発生自体を極力抑制することが可能となる。
【００３６】
（第２の実施形態）
次に本発明の第２の実施形態について、図６から図８を参照して説明する。第２の実施形態では、同種のパチンコ機である機種Ａに関し、その一般機（時間短縮モード機）とＣＲ機（確率変動モード機）との間での制御基板の誤着防止対策を説明する。なお本実施の形態においては、上記第１の実施の形態と同等の構成を有する部材要素については便宜上詳細な説明を省略している。
【００３７】
図６に示すように、機種Ａの一般機に係るパチンコ機３０１では、遊技盤１０５に設置されたメイン基板３５１、サブ基板３５３および表示制御基板３５５には、いずれも赤色の配色が施されている。換言すれば、機種Ａの一般機に係るパチンコ機３０１の制御基板の配色パターンは「赤・赤・赤」とされている。
【００３８】
これに対し、図７に示すように機種ＡのＣＲ機に係るパチンコ機４０１では、遊技盤４０５に設置されたメイン基板４５１、サブ基板４５３および表示制御基板４５５には、いずれも青色の配色が施されている。換言すれば、機種ＡのＣＲ機に係るパチンコ機４０１の制御基板の配色パターンは「青・青・青」とされている。
【００３９】
図６に示す機種Ａの一般機に係るパチンコ機３０１につき、遊技盤３０５に各制御基板を取付ける作業中に、本来は図７に示す機種ＡのＣＲ機に係るパチンコ機４０１用のサブ基板４５３が、誤って一般機側のパチンコ機３０１に装着された場合、図８に示すように、パチンコ機３０１の遊技盤３０５では、メイン基板３５１、サブ基板４５３（本来はサブ基板３５３が装着されるべきである）および表示制御基板３５５の配色パターンが、「赤・青・赤」となる。従って、本来は赤色で統一された配色中に、異なる色が混入することとなり、誤着が視覚的に鮮明に提示されることになる。
【００４０】
この結果、作業者は、配色パターンの相違を手掛かりとして一般機とＣＲ機との間で制御基板の誤着が発生したこと、およびサブ基板４５３（３５３）に誤着が発生したことを容易に察知し、取替え作業を直ちに行なうことが可能となる。しかも本来の統一化された配色を意識しながら作業を行なうため、制御基板の誤着自体の発生を極力抑制することが可能となる。
【００４１】
なお機種の入れ替えに際しては、遊技盤３０５を交換することが多く、遊技機本体および裏機構盤１０７については恒常的に利用される場合が多い。そのため、賞球制御基板１３４や発射制御基板は共通の制御部として裏機構版１０７に取付けられる。この場合、一般機とＣＲ機とでは遊技の形態が異なるため、誤って一般機の枠にＣＲ機の遊技盤が取付けられ、あるいはＣＲ機の枠に一般機の遊技盤が取付けられた場合に制御不能になる。このような場合、遊技盤に取付けられる制御基板と裏機構盤に取付けられる制御基板とを統一化された配色とすれば、容易に誤着を目視で発見することが可能とされる。
【００４２】
なお上記第１および第２の実施形態では、例示的にメイン・サブ・表示制御の三つの制御基板における誤着対策を説明したが、一つの制御基板のみ、あるいは更に他の制御基板をも対象として、他の機種に係るパチンコ機における対応制御基板との配色を異ならしめることで、誤着対策を講じる構成を採用してもよい。
【００４３】
（変更例）
更に、異なる機種間における制御基板の誤着対策のみならず、裏機構盤１０５における各制御基板の正しい装着位置についても併せて視覚化し、作業の効率を向上する構成が可能である。具体的には図９に示すように、裏機構盤１０５の盤面のうち、赤色に配色されたメイン基板１５１の取付位置に対応した近接箇所には、同じく赤色に配色されたメイン基板取付マーカ１０６ａを付しておく。同様に、青色に配色されたサブ基板１５３の近接箇所には、青色に配色されたサブ基板取付マーカ１０６ｂを付しておく。さらに黄色に配色された表示制御基板１５５の近接箇所には、黄色に配色された表示制御基板取付マーカ１０６ｃを付しておく。各取付マーカ１０６ａ〜１０６ｃは三角形状とされ、その頂部が取付対象たる各制御基板１５１，１５３，１５５を向くように配されている。
【００４４】
このように構成することで、異なる機種間における各制御基板の誤着を視覚的に把握し易くするのみならず、さらに各取付マーカ１０６ａ〜１０６ｃの配色との合致を視認しながら作業することで、裏機構盤１０５において各制御基板の正しい設置箇所を容易に目視で確認することが可能となり、作業の一層の合理性を確保することが可能となる。
【００４５】
本変更例に係る取付マーカ１０６ａ〜１０６ｃでは、制御基板に近接する三角形状の目印として構成としたが、例えば制御基板と関連付けられた配色で当該制御基板の外形を取り囲む枠線で示す形態、制御基板の隅部を示す形態等、各種の構成が可能である。
【００４６】
（第２の変更例）
本発明の実施の形態に関し、さらに第２の変更例について図１０を参照しつつ説明する。第２の変更例では、誤着防止対策として、上記のように配色を利用するのではなく、各制御基板に施された模様を利用している。なお本変更例においては、上記各実施の形態と同等の構成を有する部材要素については便宜上詳細な説明を省略している。
【００４７】
本変更例に係るパチンコ機４０１では、遊技盤４０５に設置されたメイン基板４５１、サブ基板４５３および表示制御基板４５５に、それぞれ三角形の模様を構成する各要素４５１ａ，４５３ａ，４５５ａが描かれており、それらが正しく装着された場合には、全体として三角形の模様が現れるように構成されている。
【００４８】
図１０ではサブ基板４５３につき、他の種類の遊技機に用いられるべきサブ基板５５３が誤って装着された状態が示されている。この場合、誤着に係るサブ基板５５３には、四角形の模様を構成する要素５５３ａが描かれており、結果として各制御基板を遊技盤４０５に取付けた場合、三角形の模様がサブ基板５５３の箇所で乱され、一見してサブ基板５５３が誤って装着されたことが識別可能である。なお識別性を高めるべく、三角形の模様につき、各制御基板自体の色と異なる配色を施しておくのが好ましい。
【００４９】
この結果、作業者は、模様の不統一を手掛かりとして制御基板の誤着が発生したこと、およびサブ基板５５３が誤着に係ることを容易に察知し、取替え作業を直ちに行なうことが可能となる。しかも本来の統一化された模様を意識しながら作業を行なうため、制御基板の誤着自体の発生を極力抑制することが可能となる。
【００５０】
なお本変更例では、複数の制御基板が組み合わさって一つの模様が形成されるよう構成したが、各制御基板ごとに独立した模様を付すことで誤着対策を講じてもよい。
【００５１】
（第３の変更例）
本発明の実施の形態に関し、さらに第３の変更例について図１１を参照しつつ説明する。第３の変更例では、誤着防止対策として、各制御基板に施された放熱孔の形状を「模様」に係る識別手段として利用している。すなわち本変更例に係るパチンコ機６０１では、遊技盤６０５に設置されたメイン基板６５１、サブ基板６５３および表示制御基板６５５の各左下領域に、それぞれ楕円形状の放熱孔６５１ａ，６５３ａ，６５５ａを複数個穿設しておく。
【００５２】
図１１では、他の種類のパチンコ機で用いられるべきサブ基板７５３が、サブ基板６５３の代わりに誤って遊技盤６０５に設置された状態が示される。このサブ基板７５３には、楕円形状ではなく円形状の放熱孔７５３ａがサブ基板７５３の右上領域に穿設されている。
【００５３】
この結果、各制御基板を遊技盤６０５に取付けた場合、サブ基板７５３における放熱孔７５３ａだけが制御基盤における放熱孔６５１ａ，６５５ａとは異なる形状かつ異なる領域に配されるため、一見してサブ基板７５３が誤って装着されたことが識別可能である。
【００５４】
この結果、作業者は、放熱孔の形状および配置場所の不統一を手掛かりとして制御基板の誤着が発生したこと、およびサブ基板７５３が誤着に係ることを容易に察知し、取替え作業を直ちに行なうことが可能となる。しかも本来の統一化された放熱孔の模様および配置箇所を意識しながら作業を行なうため、制御基板の誤着自体の発生を極力抑制することが可能となる。しかも制御基板における放熱孔という既存の要素を誤着対策に利用するので、誤着対策のために格別のコストをかける必要がなく合理的である。
【００５５】
【発明の効果】
本発明によれば、異なる種類の遊技機における同種の制御装置の誤着対策を講じた遊技機の構成技術が提供されることとなった。
【図面の簡単な説明】
【図１】本発明の実施の形態である遊技機の構造につき背面視にて模式的に示す。
【図２】本実施の形態に係る遊技機のシステム構成を示すシステムブロック図である。
【図３】本実施の形態における制御基板の配色の態様を示す模式図である。
【図４】異なる機種Ｂに係るパチンコ機における制御基板の配色の態様を示す模式図である。
【図５】機種Ａのパチンコ機において制御基板の誤着が生じたことを示す模式図である。
【図６】第２の実施形態における制御基板の配色の態様を示す模式図である。
【図７】第２の実施形態に係るＣＲ機における制御基板の配色の態様を示す模式図である。
【図８】一般機に係るパチンコ機において制御基板の誤着が生じたことを示す模式図である。
【図９】第１および第２の実施の形態につき、更なる変更例の態様を示す模式図である。
【図１０】本発明の実施の形態に関する第２の変更例の構成を示す模式図である。
【図１１】本発明の実施の形態に関する第３の変更例の構成を示す模式図である。
【符号の説明】
１０１  パチンコ機
１０３  枠体
１０５  遊技盤
１０７  裏機構盤
１１１  賞球貯留タンク
１１３  賞球誘導樋
１１５  発射装置
１２１  電源装置
１２３  中継部
１２５  メイン制御部
１２７  賞球制御部
１２９  音制御部
１３１  表示制御部
１３２  図柄表示部
１３３  賞球装置
１３４  賞球制御基板
１３５  入賞球センサ
１３７  始動口センサ
１３９  ソレノイド
１４１  ホールコンピュータ
１５１  メイン基板
１５３  サブ基板
１５５  表示制御基板
【図１】
2004180877.tif 000003
【図２】
2004180877.tif 000004
【図３】
2004180877.tif 000005
【図４】
2004180877.tif 000006
【図５】
2004180877.tif 000007
【図６】
2004180877.tif 000008
【図７】
2004180877.tif 000009
【図８】
2004180877.tif 000010
【図９】
2004180877.tif 000011
【図１０】
2004180877.tif 000012
【図１１】
2004180877.tif 000013